(57)【要約】【課題】２つ以上の異なる処理部において覆い焼き処理の効果の相違を低減できるようにする。【解決手段】被写体を撮像して得られた画像信号を取得する手段と、例えば、動画データなどの画像信号に対して覆い焼き処理を行い、第１の画像データを生成する第１の画像処理手段と、前記第１の画像処理手段による覆い焼き処理よりも強い効果の覆い焼き処理を例えば静止画データなどの画像信号に対して行い、前記第１の画像データとは異なる画像圧縮形式の第２の画像データを生成する第２の画像処理手段とを備え、前記第１の画像処理手段は、覆い焼き処理を複数回繰り返すようにして、動画及び静止画など、２つの画面で覆い焼き処理の効果の相違を低減することができるようにする。【選択図】図１
2012095200.tif 000002
【特許請求の範囲】
【請求項１】
被写体を撮像して得られた画像信号を取得する取得手段と、
前記取得手段により取得された画像信号に対して覆い焼き処理を行い、第１の画像データを生成する第１の画像処理手段と、
前記第１の画像処理手段による覆い焼き処理よりも強い効果の覆い焼き処理を前記取得手段により取得された画像信号に対して行い、前記第１の画像データとは異なる画像圧縮形式の第２の画像データを生成する第２の画像処理手段とを備え、
前記第１の画像処理手段は、覆い焼き処理を複数回繰り返すことを特徴とする画像処理装置。
【請求項２】
前記第１の画像処理手段による覆い焼き処理の繰り返し回数を計測する計測手段と、
前記計測手段により計測された繰り返し回数に応じたローパスフィルタ処理を行うローパスフィルタ付加手段とをさらに備えることを特徴とする請求項１に記載の画像処理装置。
【請求項３】
前記第１の画像データは動画データであり、前記第２の画像データは静止画データであることを特徴とする請求項１または２に記載の画像処理装置。
【請求項４】
前記第１の画像処理手段により覆い焼き処理を複数回行う際に、前記第１の画像データのフレームレートを低下させる制御手段をさらに備えることを特徴とする請求項３に記載の画像処理装置。
【請求項５】
画質を優先する第１のモードとフレームレートを優先する第２のモードとを切り替える切り替え手段をさらに備え、
前記切り替え手段により前記第１のモードに切り替えられている場合に、前記第１の画像処理手段は、覆い焼き処理を行った後に輝度を測定することにより繰り返し回数を決定することを特徴とする請求項３または４に記載の画像処理装置。
【請求項６】
画質を優先する第１のモードとフレームレートを優先する第２のモードとを切り替える切り替え手段をさらに備え、
前記切り替え手段により前記第２のモードに切り替えられている場合に、前記第１の画像処理手段は、覆い焼き処理の繰り返し回数を制限することを特徴とする請求項３または４に記載の画像処理装置。
【請求項７】
前記第１の画像処理手段は、覆い焼き処理によって付加されたゲインの総量を測定することにより繰り返し回数を決定することを特徴とする請求項３または４に記載の画像処理装置。
【請求項８】
被写体を撮像して得られた画像信号を取得する取得工程と、
前記取得工程において得られた画像信号に対して覆い焼き処理を行い、第１の画像データを生成する第１の画像処理工程と、
前記第１の画像処理工程における覆い焼き処理よりも強い効果の覆い焼き処理を前記取得工程において取得された画像信号に対して行い、前記第１の画像データとは異なる画像圧縮形式の第２の画像データを生成する第２の画像処理工程とを備え、
前記第１の画像処理工程においては、覆い焼き処理を複数回繰り返すことを特徴とする画像処理方法。
【請求項９】
被写体を撮像して得られた画像信号を取得する取得工程と、
前記取得工程において得られた画像信号に対して覆い焼き処理を行い、第１の画像データを生成する第１の画像処理工程と、
前記第１の画像処理工程における覆い焼き処理よりも強い効果の覆い焼き処理を前記取得工程において取得された画像信号に対して行い、前記第１の画像データとは異なる画像圧縮形式の第２の画像データを生成する第２の画像処理工程とをコンピュータに実行させ、
前記第１の画像処理工程においては、覆い焼き処理を複数回繰り返すことを特徴とするプログラム。
【発明の詳細な説明】
【技術分野】
【０００１】
本発明は、例えば、デジタル覆い焼き処理を行うために用いて好適な画像処理装置、画像処理方法及びプログラムに関する。
【背景技術】
【０００２】
同一の画角内に極めて明るい被写体と暗い被写体とが同時に存在する場合に、両者を明瞭に撮影することができるダイナミックレンジの広いカメラ、いわゆるワイドダイナミックレンジカメラが注目されている。このようなダイナミックレンジの広い撮影を可能にするための方法として、銀塩写真において、暗室内で行われる覆い焼き処理というものがある。そこで、この覆い焼き処理をデジタル画像処理によって実現し、明暗差のある被写体、特に逆光の被写体を補正する技術（デジタル覆い焼き処理）がある。このデジタル覆い焼き処理に関する従来の技術としては、例えば、特許文献１に記載されている。特許文献１に記載の技術では、補正を行う係数を決定するための領域判定画像として、輝度成分を抽出して、縮小した後にローパスフィルタをかけ、元のサイズまで拡大したものを作成している。
【先行技術文献】
【特許文献】
【０００３】
【特許文献１】特開２００６−６５６７６号公報
【発明の概要】
【発明が解決しようとする課題】
【０００４】
しかしながら、上述の特許文献１に開示された従来技術では、１つの画像処理のみにしか着目していないため、２つ以上の画像処理部を備えた撮像装置においては、それぞれの画像処理部で行われる覆い焼き処理が同一の効果を有するとは限らない。そのため、例えば動画と静止画とを同時に配信する監視カメラ等においては、２つの画質が全く異なったものになってしまう可能性がある。
【０００５】
本発明は前述の問題点に鑑み、２つ以上の異なる処理部において覆い焼き処理の効果の相違を低減できるようにすることを目的としている。
【課題を解決するための手段】
【０００６】
本発明の画像処理装置は、被写体を撮像して得られた画像信号を取得する取得手段と、前記取得手段により取得された画像信号に対して覆い焼き処理を行い、第１の画像データを生成する第１の画像処理手段と、前記第１の画像処理手段による覆い焼き処理よりも強い効果の覆い焼き処理を前記取得手段により取得された画像信号に対して行い、前記第１の画像データとは異なる画像圧縮形式の第２の画像データを生成する第２の画像処理手段とを備え、前記第１の画像処理手段は、覆い焼き処理を複数回繰り返すことを特徴とする。
【発明の効果】
【０００７】
本発明によれば、２種類以上の異なる画像データに対して、それぞれの覆い焼き処理の効果の相違を低減することができる。
【図面の簡単な説明】
【０００８】
【図１】第１の実施形態に係る撮像装置の構成例を示すブロック図である。
【図２】第１の実施形態における画像処理手順の一例を示すフローチャートである。
【図３】第２の実施形態に係る撮像装置の構成例を示すブロック図である。
【図４】第２の実施形態における画像処理手順の一例を示すフローチャートである。
【図５】覆い焼き処理の回数ごとの遮断周波数とゲインとの関係を示す図である。
【図６】第３の実施形態に係る撮像装置の構成例を示すブロック図である。
【図７】第３の実施形態における画像処理手順の一例を示すフローチャートである。
【図８】第４の実施形態に係る撮像装置の構成例を示すブロック図である。
【図９】第４の実施形態における画像処理手順の一例を示すフローチャートである。
【発明を実施するための形態】
【０００９】
（第１の実施形態）
以下、図１を参照しながら、本発明の第１の実施形態について説明する。
図１は、本実施形態に係る撮像装置１００の構成例を示すブロック図である。
図１において、被写体像は、数枚のレンズから構成されるレンズ１０１を通して、ＣＣＤ、ＣＭＯＳ等の撮像素子１０２に結像され、電気信号に変換される。撮像素子１０２より出力された電気信号は、相関二重サンプリング処理（ＣＤＳ）、アナログゲインコントロール（ＡＧＣ）、アナログデジタル変換器（ＡＤＣ）等からなるアナログフロントエンド（ＡＦＥ）１０３により、種々の信号処理がなされる。そして、デジタル画像データ（画像信号）として出力される。
【００１０】
ＡＦＥ１０３から出力された画像データは、第１の画像処理部１０４及び第２の画像処理部１０５に入力される。第１の画像処理部１０４及び第２の画像処理部１０５はそれぞれ、デジタルシグナルプロセッサ（ＤＳＰ）などから構成され、所定の画像処理を行う。なお、本実施形態においては、動画の撮影中に静止画を撮影し、動画データが第１の画像処理部１０４に入力され、静止画データが第２の画像処理部１０５に入力される例について説明する。
【００１１】
第１の画像処理部１０４は、明暗差のある被写体、特に逆光の被写体を補正する第１の覆い焼き処理部１０６を備えている。また、第２の画像処理部１０５は、同様に第２の覆い焼き処理部１０７を備えている。
【００１２】
ここで、第１の画像処理部１０４及び第２の画像処理部１０５はそれぞれ異なったＩＣ素子であり、それぞれの画像処理の効果はすべてが全く同じではない。特に、覆い焼き処理部においての処理は、それぞれの効果が異なり、第１の覆い焼き処理部１０６は相対的に弱い効果の覆い焼き処理を行い、第２の覆い焼き処理部１０７は、相対的に強い効果の覆い焼き処理を行う。ただし、基本的な処理方法、例えば、補正係数を決めるための領域判定画像として輝度成分を抽出して縮小した後にローパスフィルタをかけ元のサイズまで拡大したものを作成する、低輝度側に対してゲインをかけて覆い焼き効果を出す等は、両方で共通する。なお、それぞれの覆い焼き処理部の効果については固定値でもよく、最大効果が異なるだけで、最大効果までの間で効果を変動させることができるようにしてもよい。
【００１３】
第１の画像処理部１０４及び第２の画像処理部１０５から出力されたそれぞれの画像データは、ＣＲＴや液晶ディスプレイから構成される第１の表示部１０８及び第２の表示部１０９へそれぞれ出力される。ここで、第１の表示部１０８と表示部１０９とで２つの表示部を備えた構成としているが、表示部は１つでもよい。また、以下いずれの実施形態においても、これら表示部と撮像装置との間の通信手段は汎用のプロトコルによるネットワークを想定するが、これに限らず専用線でも良いし、有線、無線を限定するものでもない。
【００１４】
以下、図２を参照しながら処理手順について説明する。
図２は、本実施形態における画像処理手順の一例を示すフローチャートである。
図２において、被写体像がレンズ１０１に入力されると処理を開始し、ステップＳ２０１において、レンズ１０１、撮像素子１０２及びＡＦＥ１０３により画像データを取得する。本実施形態では、動画の撮影中に静止画の撮影が行われ、動画データが第１の画像処理部１０４に入力され、静止画データが第２の画像処理部１０５に入力される。
【００１５】
次に、ステップＳ２０２において、第１の画像処理部１０４の第１の覆い焼き処理部１０６は、相対的に弱い効果の覆い焼き処理を行い、動画データを補正する。その後、相対的に弱い効果の覆い焼き処理と相対的に強い効果の覆い焼き処理との効果の比を予め算出しておき、何回相対的に弱い覆い焼き処理を行うかを定めておく。一方、第２の画像処理部１０５の第２の覆い焼き処理部１０７は、相対的に強い効果の覆い焼き処理を行い、静止画データを補正する。
【００１６】
次に、ステップＳ２０３において、上記定めた覆い焼き処理回数まで達したかどうかを判定する。この判定の結果、所定回数処理を行っていない場合は、ステップＳ２０２に戻り、動画データに対して、相対的に弱い覆い焼き処理を再び行う。このとき、静止画データに対しては、既に相対的に強い効果の覆い焼き処理を行っているため、処理を行わない。
【００１７】
一方、ステップＳ２０３の判定の結果、所定回数処理を行った場合は、ステップＳ２０４において、第１の表示部１０８は処理後の動画データ（第１の画像データ）に係る動画を表示する。そして、第２の表示部１０９は処理後の静止画データ（第２の画像データ）に係る静止画を表示する。ここで、第１の表示部１０８と第２の表示部１０９は同一のものであってもよい。また、第１の画像処理部１０４は、覆い焼き処理を複数回行うことによって処理時間が長くなってしまう場合は、動画データのフレームレートを低下させるようにしてもよい。
【００１８】
（第２の実施形態）
以下、図３〜図５を参照しながら本発明の第２の実施形態について説明する。
図３は、本実施形態に係る撮像装置３００の構成例を示すブロック図である。なお、レンズ３０１〜第２の画像処理部３０５の構成についてはそれぞれ、図１のレンズ１０１〜第２の画像処理部１０５と同様のため、説明を省略する。また、第１の覆い焼き処理部３０６及び第２の覆い焼き処理部３０８の処理についても第１の実施形態と同様であるため、説明は省略する。なお、本実施形態においては、動画の撮影中に静止画を撮影し、動画データが第１の画像処理部３０４に入力され、静止画データが第２の画像処理部３０５に入力される例について説明する。
【００１９】
デジタル覆い焼き処理は、低輝度側に対してゲインをかけるため、低輝度側のノイズが目立つようになり、その影響により圧縮する画像のサイズが、デジタル覆い焼き処理を行わない画像に比べて大きくなる。そのため、画像圧縮形式によっては例えばネットワークを経由して、生成した画像データを配信すると負荷が高くなり、フレームレートが低下してしまう等の問題がある。そこで、本実施形態では、第１の画像処理部３０４で種々の画像処理を施した後にローパスフィルタ処理の遮断周波数を決定するローパスフィルタ制御部３０９と、実際にローパスフィルタを付加する第１のローパスフィルタ付加部３１０とを設けている。同様に、第２の画像処理部３０５で種々の画像処理を施した後にローパスフィルタを付加する第２のローパスフィルタ付加部３１２を設けている。
【００２０】
繰り返し処理回数計測部３０７は、第１の覆い焼き処理部３０６により相対的に弱い効果の覆い焼き処理が行われた回数をカウントする。ローパスフィルタ制御部３０９は、繰り返し処理回数計測部３０７から覆い焼き処理が行われた回数の情報を取得して、遮断周波数を決定する。
【００２１】
第１のローパスフィルタ付加部３１０は、画像データの高周波成分をカットするフィルタを付加する。同様に、第２のローパスフィルタ付加部３１２も、画像データの高周波成分をカットするフィルタを付加する。そして、第１のローパスフィルタ付加部３１０及び第２のローパスフィルタ付加部３１２から出力された画像データはそれぞれ、ＣＲＴや液晶ディスプレイから構成される第１の表示部３１１及び第２の表示部３１３に出力される。ここで、第１の表示部３１１及び第２の表示部３１３は、１つの表示部としてもよい。
【００２２】
以下、図４を参照しながら処理手順について説明する。
図４は、本実施形態における画像処理手順の一例を示すフローチャートである。なお、ステップＳ４０１〜Ｓ４０３までの処理は、図２のステップＳ２０１〜Ｓ２０３までの処理と同様であるため、説明は省略する。なお、ステップＳ４０２〜Ｓ４０３の処理を繰り返している間、繰り返し処理回数計測部３０７は、覆い焼き処理回数を計測する。
【００２３】
そして、ステップＳ４０４において、ローパスフィルタ制御部３０９は、繰り返し処理回数計測部３０７で計測した覆い焼き処理回数の情報を取得する。そして、ステップＳ４０５において、ローパスフィルタ制御部３０９は、覆い焼き処理の回数に応じて遮断周波数を決定する。
【００２４】
図５は、覆い焼き処理の回数ごとの遮断周波数とゲインとの関係を示す図である。
図５に示すように、覆い焼き処理の回数が多くなるほどノイズ成分が目立ってくるため、遮断周波数が低周波側にシフトしている。すなわち、覆い焼き処理の回数が多いほどノイズ除去の効果の強いローパスフィルタをかけるようにする。これにより、画像サイズを低減することができるとともに、ノイズを除去することができる。
【００２５】
次に、ステップＳ４０６において、第１のローパスフィルタ付加部３１０は、ステップＳ４０５で決定された遮断周波数によりローパスフィルタを動画データに付加する。一方、第２のローパスフィルタ付加部３１２は、予め入力されている遮断周波数によりローパスフィルタを静止画データに付加する。そして、ステップＳ４０７において、第１の表示部３１１はその動画データに係る動画を表示する。そして、第２の表示部３１３は処理後の静止画データに係る静止画を表示する。
【００２６】
（第３の実施形態）
以下、図６及び図７を参照しながら本発明の第３の実施形態について説明する。
図６は、本実施形態に係る撮像装置６００の構成例を示すブロック図である。なお、レンズ６０１〜ＡＦＥ６０３の構成についてはそれぞれ、図１のレンズ１０１〜ＡＦＥ１０３と同様のため、説明を省略する。また、第１の覆い焼き処理部６０７及び第２の覆い焼き処理部６１１の処理についても第１の実施形態と同様であるため、説明は省略する。なお、本実施形態においては、動画の撮影中に静止画を撮影し、動画データが第１の画像処理部６０４に入力され、静止画データが第２の画像処理部６０５に入力される例について説明する。
【００２７】
モード切替部６０６は、ユーザーの指示によってモードを切り替える。第１の画像輝度測定部６０８は、第１の覆い焼き処理部６０７により覆い焼き処理された画像データ（動画データ）における画面の輝度（第１の輝度値）を測定する。一方、第２の画像輝度測定部６１２は、第２の覆い焼き処理部６１１により覆い焼き処理された画像データ（静止画データ）における画面の輝度（第２の輝度値）を測定する。
【００２８】
画像輝度判定部６０９は、前述した第１の輝度測定値と第２の輝度測定値とを比較し、第１の輝度値＜第２の輝度値であった場合に、第１の画像処理部６０４に対し、覆い焼き処理を繰り返すよう指示する。繰り返し処理回数計測部６１０は、第１の覆い焼き処理部６０７で１枚の画像データについて行った覆い焼き処理の回数を計測する。
【００２９】
また、第２の実施形態で説明したように、デジタル覆い焼き処理を行った場合、画像データを配信するとフレームレートが落ちてしまうため、本実施形態では、第２の実施形態と同様にローパスフィルタを付加している。なお、ローパスフィルタ制御部６１３〜第２の表示部６１７はそれぞれ、図３のローパスフィルタ制御部３０９〜第２の表示部３１３と同様であるため、説明は省略する。
【００３０】
以下、図７を参照しながら処理手順について説明する。
図７は、本実施形態における画像処理手順の一例を示すフローチャートである。図７における処理動作では、フレーム優先モード及び画質優先モードの２つのモードについて説明する。また、本実施形態では、第１のモードとして画質優先モード、及び第２のモードとしてフレーム優先モードの２つモードについて説明するが、この２つのモードに限らず、解像度優先モードなど本旨を逸脱しない範囲で複数のモードを持つ場合にも適用できる。
【００３１】
ステップＳ７０１において、図２のステップＳ２０１と同様の手順により画像データを取得する。次に、ステップＳ７０２において、モード切替部６０６は、予めユーザーによりフレーム優先モード、または画質優先モードのどちらのモードが選択されたのかを判定する。この判定の結果、画質優先モードが選択されている場合は、ステップＳ７０３において、図２のステップＳ２０２と同様の手順により覆い焼き処理を行い、動画データ及び静止画データを補正する。
【００３２】
次に、ステップＳ７０４では、第１の画像輝度測定部６０８は、覆い焼き処理後の動画データの輝度値（第１の輝度値）を測定する。輝度値を測定する際には、特に画像が明るくなる側の低輝度部を重視する。また、第２の画像輝度測定部６１２は、覆い焼き処理後の静止画データの輝度値（第２の輝度値）を測定する。
【００３３】
次に、ステップＳ７０５において、画像輝度判定部６０９は、第１の画像輝度測定部６０８において計測した第１の輝度値と、第２の画像輝度測定部６１２において測定した第２の輝度値とを比較する。この比較の結果、第１の輝度値＜第２の輝度値であった場合は、ステップＳ７０３に戻り、動画データに対して、相対的に弱い覆い焼き処理を再び行う。このとき、静止画データに対しては、既に相対的に強い効果の覆い焼き処理を行っているため、処理を行わない。なお、ステップＳ７０３〜Ｓ７０５の処理を繰り返している間、繰り返し処理回数計測部６１０は、覆い焼き処理回数を計測する。
【００３４】
一方、ステップＳ７０５の判定の結果、第１の輝度値≧第２の輝度値であった場合は、ステップＳ７０６に進む。なお、ステップＳ７０６〜Ｓ７０９の処理は、図４のステップＳ４０４〜Ｓ４０７の処理と同様である。
【００３５】
一方、ステップＳ７０２の判定の結果、フレーム優先モードが選択されている場合は、ステップＳ７１０において、第１の画像処理部６０４は画像のサイズや覆い焼き処理時間によってフレームレートが約３０ｆｐｓとなるように覆い焼き処理の制限回数を決定する。そして、図２のステップＳ２０２と同様の手順により覆い焼き処理を行い、動画データ及び静止画データを補正する。
【００３６】
次に、ステップＳ７１１において、第１の画像処理部６０４はステップＳ７１０において決定した制限回数まで覆い焼き処理を行ったか否かを判定する。この判定の結果、制限回数まで覆い焼き処理を行っていない場合は、ステップＳ７１０に戻り、動画データに対して、相対的に弱い覆い焼き処理を再び行う。このとき、静止画データに対しては、既に相対的に強い効果の覆い焼き処理を行っているため、処理を行わない。なお、ステップＳ７１０〜Ｓ７１１の処理を繰り返している間、繰り返し処理回数計測部６１０は、覆い焼き処理回数を計測する。
【００３７】
一方、ステップＳ７１１の判定の結果、制限回数まで覆い焼き処理を行った場合は、ステップＳ７１２に進む。ステップＳ７１２〜Ｓ７１５の処理は、図４のステップＳ４０４〜Ｓ４０７の処理と同様である。
【００３８】
（第４の実施形態）
以下、図８及び図９を参照しながら本発明の第４の実施形態について説明する。
図８は、本実施形態に係る撮像装置８００の構成例を示すブロック図である。なお、レンズ８０１〜第２の覆い焼き処理部８０７の構成についてはそれぞれ、図１のレンズ１０１〜第２の覆い焼き処理部１０７と同様のため、説明を省略する。また、ローパスフィルタ制御部８１１〜第２の表示部８１５の構成についても、図６のローパスフィルタ制御部６１３〜第２の表示部６１７と同様であるため、説明は省略する。なお、本実施形態においては、動画の撮影中に静止画を撮影し、動画データが第１の画像処理部６０４に入力され、静止画データが第２の画像処理部６０５に入力される例について説明する。
【００３９】
本実施形態では、ゲイン積算部８０８は、第１の覆い焼き処理部８０６において動画データに付加されたゲインの総量を算出する。また、ゲイン判定部８０９は、ゲイン積算部８０８により算出されたゲインの総量と予め設定された所定のゲインとを比較する。そして、（測定したゲインの総量）＜（予め設定された所定のゲイン）である場合は、第１の画像処理部８０４に対し、覆い焼き処理を繰り返すよう指示する。繰り返し処理回数計測部８１０は、第１の覆い焼き処理部８０６で１枚の画像データについて行った覆い焼き処理の回数を計測する。
【００４０】
以下、図９を参照しながら処理手順について説明する。
図９は、本実施形態における画像処理手順の一例を示すフローチャートである。
ステップＳ９０１においては、図２のステップＳ２０１と同様の手順により画像データを取得する。次に、ステップＳ９０２において、第１の画像処理部８０４の第１の覆い焼き処理部８０６は、相対的に弱い効果の覆い焼き処理を行い、動画データを補正する。一方、第２の画像処理部８０５の第２の覆い焼き処理部８０７は、相対的に強い効果の覆い焼き処理を行い、静止画データを補正する。その後、相対的に強い効果の覆い焼き処理における覆い焼きのゲインを算出し、算出した値を所定のゲインとして設定する。なお、任意でゲインを設定してもよい。
【００４１】
次に、ステップＳ９０３において、ゲイン積算部８０８は、画像に対して付加されたゲインの量を測定し、ゲイン量の情報を取得する。そして、ステップＳ９０４において、ゲイン判定部８０９は、測定したゲインの総量が所定のゲイン以上に達したかどうかを判定する。この判定の結果、所定のゲインに達していない場合は、ステップＳ９０２に戻り、動画データに対して、相対的に弱い覆い焼き処理を再び行う。このとき、静止画データに対しては、既に相対的に強い効果の覆い焼き処理を行っているため、処理を行わない。なお、ステップＳ９０２〜Ｓ９０４の処理を繰り返している間、繰り返し処理回数計測部８１０は、覆い焼き処理回数を計測する。
【００４２】
一方、ステップＳ９０４の判定の結果、所定のゲインに達した場合は、ステップＳ９０５に進む。ステップＳ９０５〜Ｓ９０８の処理は、図４のステップＳ４０４〜Ｓ４０７の処理と同様である。
【００４３】
以上のように第１〜第４の実施形態によれば、静止画データに対しては、相対的に強い覆い焼き処理を１回行い、動画データに対しては相対的に弱い覆い焼き処理を複数回繰り返すようにした。これにより、動画と静止画との間で覆い焼き処理の効果の相違を低減することができる。
【００４４】
（その他の実施形態）
上記実施形態では、別装置の表示部に画像を送信すべき撮像装置を例に説明したが、本発明はこれに限らず、デジタルカメラ本体が一体として有する背面パネルに画像を表示する例にも適用可能であることは言うまでもない。また、画像の出力先として表示部に直接送信するのではなく、撮像装置内部又は外部に備えられた所定の記録部に各圧縮形式に対応したファイルとして一旦記録するように構成してしても良い。例えば、静止画ならＪＰＥＧファイル、動画ならＨ２６４やＭＰＥＧファイル等が考えられる。
【００４５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４６】
１０４  第１の画像処理部
１０５  第２の画像処理部
１０６  第１の覆い焼き処理部
１０７  第２の覆い焼き処理部
【図１】
2012095200.tif 000003
【図２】
2012095200.tif 000004
【図３】
2012095200.tif 000005
【図４】
2012095200.tif 000006
【図５】
2012095200.tif 000007
【図６】
2012095200.tif 000008
【図７】
2012095200.tif 000009
【図８】
2012095200.tif 000010
【図９】
2012095200.tif 000011